(57)【要約】【課題】  換気性、防湿性、断熱性及び防音性に優れた家屋の通気構造の提供。【解決手段】  土台２と、内部に層状の床下通気路６、６…を有する床体５と、大棟に構成した換気部１２と、内部に換気部１２に連通する屋根内通気路８を備え、かつ直下に換気部１２に連通する屋根裏空間９を配した屋根７と、内部に配した二層の外壁通気路４、４を備え、これらが上部に屋根裏空間９及び屋根内通気路８と連通する上部通気口４ａ、４ｂ、下部に床下通気路６、６…と連通する下部通気口４ｃ及び相互間を繋ぐ下部通気路４ｄを有するものである外壁構造体３であって、屋根７をその周辺部で支持する外壁構造体３とを有する家屋１であり、床下通気路６、６…と外壁通気路４、４と屋根内通気路８と屋根裏空間９内の空気を大棟の換気部１２を通じて適切に換気し得る。【選択図】  図１
0003102903.tif 000002
【実用新案登録請求の範囲】
【請求項１】
基礎上の土台上に形成され、内部に層状の床下通気路を備えた床体と、
内部に、大棟に構成した換気手段に連通する層状の屋根内通気路を備え、かつその直下に該換気手段に連通する屋根裏空間を備えた屋根と、
内部に相互に連通する二層の外壁通気路を有し、該二層の外壁通気路の内、内側のそれの上部に前記屋根裏空間と連通する上部通気口を、外側のそれの上部に前記屋根内通気路に連通する上部通気口を、それぞれ備え、かつ該二層の外壁通気路の内、内側のそれの下部に前記床体に形成された層状の床下通気路と連通する下部通気口を備えてなる外壁構造体であって、前記土台から立上り、前記屋根をその周辺部で支持する外壁構造体と、
で構成した通気構造を備えた家屋。
【請求項２】
前記床体、屋根及び外壁構造体の主要部を木質無垢材で構成した請求項１又は２の通気構造を備えた家屋。
【考案の詳細な説明】
【技術分野】
【０００１】
本考案は、換気性、防湿性、断熱性及び防音性に優れた通気構造を備えた家屋に関するものである。
【背景技術】
【０００２】
住宅等の建築物は、換気性、防湿性、断熱性及び防音性等の改善による居住性の向上並びに建築物の長寿命化を重要な課題として各種の住宅が提案されている。具体的には、乾式二重壁構造を採用した家屋、或いは各構成部位に通風路を持った強制循環方式を採用した家屋等である。
【０００３】
この種の家屋には特許文献１の提案がある。これは、外壁構造体に外側通気層及び内側通気層からなる二重の通気層を設け、屋根には屋根通気層を、その直下に屋根裏室を、一階と二階の間には小屋裏室を、床下には床下室を、それぞれ構成し、床下室と屋根通気層とを外側通気層で連通し、床下室と屋根裏室と小屋裏室とを内側通気層により連通し、床下室及び屋根裏室に設置した換気扇を駆動して家屋の壁、床、屋根等の部分構造体の内部を換気することができるようにした家屋に関するものである。
【０００４】
上記特許文献１の家屋によれば、家屋内に、２つの系統の通気路を持った構造で、家屋それ自体の除湿及び換気を行う点では効果があると認められるが、概ね２つの専用の通気路を持ち、換気扇及び攪拌機による強制循環を行うため、通常の家屋に比して大きな家屋構造とならざるを得ない。同時に、初期のコストが非常に高価なものとなる。
【０００５】
【特許文献１】特開２００１-６５０７４号公報
【考案の開示】
【考案が解決しようとする課題】
【０００６】
本考案は、以上のような従来技術の問題点を解消し、床体、壁及び屋根を自然素材の木質無垢材で構成すると共に、その内部に空気の層を作り、自然の素材と自然の空気の層で居住空間を包むように構成することにより、夏季には自然対流による換気作用で冷涼な居住空間を提供し、同時に除湿効果、断熱効果及び防音効果をも備え、冬季には、木質無垢材に一層又は二層の空気層を介して構成された二重又は三重の床又は壁による断熱作用で十分な断熱作用を確保できる比較的簡易な構造の通気構造を備えた家屋を提供することを課題とする。
【課題を解決するための手段】
【０００７】
本考案の１は、基礎上の土台上に形成され、内部に層状の床下通気路を備えた床体と、
内部に、大棟に構成した換気手段に連通する層状の屋根内通気路を備え、かつその直下に該換気手段に連通する屋根裏空間を備えた屋根と、
内部に相互に連通する二層の外壁通気路を有し、該二層の外壁通気路の内、内側のそれの上部に前記屋根裏空間と連通する上部通気口を、外側のそれの上部に前記屋根内通気路に連通する上部通気口を、それぞれ備え、かつ該二層の外壁通気路の内、内側のそれの下部に前記床体に形成された層状の床下通気路と連通する下部通気口を備えてなる外壁構造体であって、前記土台から立上り、前記屋根をその周辺部で支持する外壁構造体と、
で構成した通気構造を備えた家屋である。
【０００８】
本考案の２は、本考案の１の通気構造を備えた家屋に於いて、前記床体、屋根及び外壁構造体の主要部を木質無垢材で構成したものである。
【考案の効果】
【０００９】
本考案１の通気構造を備えた家屋によれば、屋根内通気路及び屋根裏空間と、これらにそれぞれの上部通気口を介して接続する外壁通気路と、これに下部通気口を介して接続する床下通気路とで家屋通気路を構成するものであり、前記屋根内通気路及び屋根裏空間は屋根の大棟に構成した換気手段で大気に開放されたものであるため、夏季には強い日差しによって加温された壁内や屋根内の熱気を屋外に放出し、常時、その内部の空気を冷涼なものに保持することにより、外部からの熱を遮断し、屋内を冷涼に保持することができる。
【００１０】
また夏季に限らず、以上のような自然対流による換気を行うことで防湿効果をも確保し、更に屋内と屋外とを薄い空気層で区分することで、断熱効果及び防音効果をも確保し得ることとなる。これは、既存の家屋構造に容易に組み込み得るため家屋通気路のための専用のスペースを殆ど必要とせず安価に実現できる。
【００１１】
本考案２の通気構造を備えた家屋によれば、コンクリートや土壁より遙かに高い断熱性を有する木質無垢材で、前記床体、屋根及び外壁構造体の主要部を二重または三重に構成したため、より一層断熱性もまた高めることが可能となり、特に夏季の高温や冬季の寒気を遮断し、家屋内を快適な温度に保持することができるものである。
【考案を実施するための最良の形態】
【００１２】
本考案の通気構造を備えた家屋は、基本的に、基礎上の土台上に位置し、内部に層状の床下通気路を備えた床体と、換気手段に連通する屋根内通気路及び屋根裏空間を備えた屋根と、内部に二層の外壁通気路を備えた外壁構造体とで構成したものである。
【００１３】
前記土台は、家屋全体の荷重を支える基礎の上に延設され、基礎とその上の家屋構造体とを仲介する土台材で構成されるものである。
【００１４】
前記床体は、内部に層状の床下通気路を備えた構成にすることが重要であり、そのように構成される限り、特定のそれに限定されない。該床体は、例えば、前記土台の直上に又は大引きを介して一方向に等間隔で延設される長尺の根太と、該根太の直上で全面を覆うように張設した荒床と、該荒床の直上にあって前記根太と同一位置に延設される長尺のスペーサ部材と、該スペーサ部材の直上に全面に張設した床板とで構成し、前記荒床と床板とで囲まれる空間を層状の床下通気路として用いる構成を採用することができる。
【００１５】
上記スペーサ部材の厚みを適切に設定することにより床下通気路の層の厚みを適切に設定することができる。該床下通気路の層の厚みは１８mm前後程度が適当である。床板及び荒床は木質無垢の板材を採用するのが適当である。例えば、床板としては杉又はミズナラ等の板材を採用することができるし、荒床は杉の板材等を採用することができる。これによって木質無垢材による二重の床を構成し断熱性を高めることができる。
【００１６】
前記屋根は、内部に層状の屋根内通気路を備えた構成にすることが重要であり、これもそのように構成される限り、特定の構成に限定されない。該屋根は、例えば、垂木の上に全面にわたって張設した下張り板と、該下張り板の直上で前記垂木と同一位置に延設される長尺のスペーサ部材と、該スペーサ部材の直上に全面に張設した野地板と、その上に配したルーフィングと、その上に前記垂木と直交する向きに定間隔で配した瓦桟と、これに係止した多数のさんがわらとで構成し、前記下張り板と野地板とで囲まれる空間を層状の屋根内通気路として用いる構成を採用することができる。
【００１７】
以上の屋根内通気路の厚みは、床下通気路の層の厚みと同様に、１８mm前後程度が適当である。下張り板及び野地板は木質無垢の板材を採用するのが適当である。例えば、下張り板及び野地板としては杉又はミズナラ等の板材を採用することができる。これによって木質無垢材による二重の屋根を構成し断熱性を高めることができる。
【００１８】
また前記屋根は、その直下に前記屋根裏空間を備えている必要があり、この空間は、家屋の屋根と柱の上部に横架させた小屋梁或いは桁に吊り下げ配設された天井との間に形成された一般的なそれであり、内部に、屋根の荷重を支える複数の小屋束及び二重梁等の構造物を持つ構成である。
【００１９】
そして、前記のように、以上の屋根内通気路及び屋根裏空間は、大棟に構成した換気手段に連通するものであることが極めて重要であるが、該換気手段の構成は特定のそれに限定されない。例えば、該換気手段は、大棟の両側に配した台座と、該両側の台座に両側の断面Ｕ字形のＵ字結合部で載置固定することにより該大棟上に固定した換気手段本体と、該Ｕ字結合部の内側及び外側の立上り部に交互に形成した開口部と、該換気手段本体に被覆するカバー部材であって、その両側が該Ｕ字結合部の外側方まで延長して下方に折曲されているカバー部材と、該両Ｕ字結合部の下方から各々該カバー部材の外側縁より外側方まで延長して上方に折曲されている下処理板材とで構成し、前記屋根内通気路及び屋根裏空間を大棟直下で前記換気手段本体の中央下部に連通するように構成することができる。
【００２０】
このような換気手段により、屋根内通気路や屋根裏空間まで上昇してきた熱気等は大棟まで自然に上昇し、能率的に換気されることになり、屋内の冷涼性を高めると共に、湿気を除去し、結露の発生等も回避することができる。
【００２１】
前記外壁構造体は、当然、前記屋根をその周辺部で支持する構造体であり、更に、内部に二層の外壁通気路を有し、その内側の外壁通気路の上部に前記屋根裏空間に連通する上部通気口を備え、外側の外壁通気路の上部に前記屋根内通気路に連通する上部通気口を備え、かつ該内側の外壁通気路の下部に前記床体に形成された層状の床下通気路と連通する下部通気口を備えたものであり、内側及び外側の外壁通気路はそのいずれかの部位で相互に連通している必要があり、これを満足すれば自由な構成を採用することが可能なものである。
【００２２】
該外壁構造体は、例えば、土台上に立設される各隣接する２本の柱の間を内壁材と外壁材とで覆うと共に、その厚み方向の途中の位置に、土台、隣接する２本の柱及び柱上部の梁又は桁等の横架材で囲まれる空間を全面に渡って仕切る仕切板を配設し、その両側の空間を各々外壁通気路に形成することができる。必要な場合には、外側又は内側の空間を利用して、前記２本の柱の間に一方の柱の最上部から他方の柱の最下部に亘って斜めに位置する筋交いを配設し、或いは両側からＸ状に位置する筋交いを配して、必要な壁耐力を容易に確保することができる。なおこれらの筋交いと仕切板との間又は内壁材若しくは外壁材との間には  若干の隙間を残し、外壁通気路がその上下端まで確実に連続するように構成する。
【００２３】
前記内側の外壁通気路の上部通気口は、前記内壁材の上部であって、前記天井の上方に位置する部分に開口すべく構成して前記屋根裏空間に連通する。この上部通気口を構成する開口部は、複数のそれを適当な間隔で横方向に並べて形成しておくのが好ましい。また前記外側の外壁通気路の上部通気口は、軒桁材の前記外壁材に接する部位を若干切り欠き、かつ前記下張り板の該当する部位を開口させて構成し、屋根内通気路に連通することができる。これらも適当な間隔で適当する配設しておくのが好ましい。また前記下部通気口は、前記内壁材の下部であって、前記床板と荒床の間に位置する部分を開口して構成することができる。前記床下通気路は各隣り合うスペーサ部材の間毎に独立しているので、該下部通気口は、該内壁材の下部の各々に面する部位に開口する必要がある。
【００２４】
該二層の外壁通気路は、前記のように、相互に連通している必要があるが、この連通は適当な部位で内側と外側の外壁通気路を仕切る仕切板に開口部を形成することで実現することができる。
【００２５】
従って本考案の通気構造を備えた家屋によれば、夏季には、床下通気路、内側及び外側の外壁通気路、屋根内通気路並びに屋根裏空間に籠もる高湿度の熱気を自然対流により、大棟に構成した換気手段から容易かつ確実に排出することができる。そのため、床下通気路、内側及び外側の外壁通気路、屋根内通気路並びに屋根裏空間によって形成されている通気層が比較的温度の低い（冷涼な）空気で充填されることとなり、家屋内を夏の熱気から隔離し、比較的冷涼な状態に保持することができることとなる。
【００２６】
また冬季には、床下通気路、両外壁通気路、屋根内通気路及び屋根裏空間の内部の対流による空気の移動が低下し、他方、それらの各部を構成する木質無垢材による断熱作用が十分に機能し、外部の冷気の屋内への伝導を減少させることができる。
【００２７】
更には、季節に関わりなく、換気により除湿効果を確保し、屋内と屋外とを区画された薄い空気層で区分することにより防音効果をも確保することができることとなる。加えて、本考案は、既存の家屋構造に容易に組み込み得るものであり、そのめの専用のスペースを殆ど必要とせず安価に実現できるものである。
【実施例】
【００２８】
以下、本考案の一実施例を図面を参照しながら詳細に説明する。
この実施例の家屋１は、図１(a)、(b)に示すように、最下部に位置してそれより上部の構造を支える土台２と、該土台２上に形成され、内部に層状の床下通気路６、６…を備えた床体５と、最上部に位置して、直下に屋根裏空間９を、内部に屋根内通気路８を備えた屋根７と、大棟に構成し、上記屋根内通気路８及び屋根裏空間９に連通する換気部（換気手段）１２と、内部に相互に連通する２つの層状の外壁通気路４、４を備え、その内、内側のそれの上部を上部通気口４ａで前記屋根裏空間９に連通させ、外側のそれの上部を他の上部通気口４ａで前記屋根内通気部８に連通させ、かつ該内側の外壁通気路４の下部に前記床体５に形成された層状の床下通気路６、６…と連通する下部通気口４ｃを、それぞれ構成してなる外壁構造体３であって、前記屋根７をその周辺部にて支持する外壁構造体３とで構成されたものである。
【００２９】
前記土台２は、家屋１の全荷重を支える基礎１０の上に配置される周知の水平材であり、その上に立ち上がる柱３ａ、３ａ…の下部を固定するものである。云うまでもなく、家屋１の外形に沿った位置の基礎１０上ばかりでなく、内部に立ち上がる基礎１０上に配置される間仕切土台も含む。土台２を構成する水平材は当然相互に結合され、更に図示しないアンカーボルトを介して基礎１０に結合固定されている。なお基礎１０の構成も、この実施例では、従来から一般に採用されているそれの内の一つであるベタ基礎を採用したものであり、前記土台２は、云うまでもなく、その立上り部の天端に載置され、アンカーボルトで固定されているものである。
【００３０】
前記床体５は、図１(a)、(b)及び図２に示すように、前記土台２に等間隔で平行に配した複数の大引５ｅ、５ｅ…と、該大引５ｅ、５ｅ…上にこれらに直交する向きで平行かつ等間隔で配した根太５ａ、５ａ…と、該根太５ａ、５ａ…上に全面を覆うように敷設した荒床５ｂと、該荒床５ｂ上に該根太５ａ、５ａ…と同一位置に等間隔で配したスペーサ部材５ｃ、５ｃ…と、該スペーサ部材５ｃ、５ｃ…上に敷設した床板５ｄとで構成したものである。
【００３１】
以上の床体５の構成の内、該荒床５ｂと該スペーサ部材５ｃと該床板５ｄとで囲まれた空間を床下通気路６、６…として構成したものである。この実施例では、該スペーサ部材５ｃは厚み１８mmで幅４５mmの長尺の木材を使用したものであり、それ故、各床下通気路６、６…の厚みは当然該スペーサ部材５ｃの厚みに一致する１８mmである。またその幅は、隣接するスペーサ部材５ｃ、５ｃ間の間隔であり、その中心間の間隔は荒床５ｂを介して下方に位置する、隣接する根太５ａ、５ａの中心間の間隔と一致する。そしてこれらの中心間の寸法は３０３mmに設定してあるので、該床下通気路６、６…の幅は前記スペーサ部材５ｃの幅との関係で、２５８mmであるということになる。
【００３２】
なお前記荒床５ｂとしては、この実施例では、厚さ１２mmの杉の板材を採用し、それらの隣接する板材相互は合ざぐりで結合してある。この荒床５ｂは、前記床下通気路６、６…の下側を区画する作用と共に、断熱材としての作用をも期待されている。また前記床板５ｄとしては、厚さ２０mmの杉の板材を採用し、同様に、隣接する板材相互は合いざぐりで結合しているものである。
【００３３】
前記屋根７は、図１(a)及び図３(a)、(b)に示すように、その内部に層状の屋根内通気路８を備えていること及びその直下の天井１１との間の空間を通気用の屋根裏空間９としたところに特徴を有する。
【００３４】
この実施例では、該屋根７は、図３(a)、(b)に示すように、定間隔で大棟から斜め下向きに配した垂木７ａ、７ａ…の上に全面にわたって張設した下張り板７ｂと、該下張り板７ｂの直上で該垂木７ａ、７ａ…と同一位置に延設された長尺のスペーサ部材７ｃ、７ｃ…と、該スペーサ部材７ｃ、７ｃ…の直上に全面に張設した野地板７ｄと、該野地板７ｄの上に全面にわたって配したルーフィング７ｅと、該ルーフィング７ｅ上に前記垂木７ａ、７ａ…及びスペーサ部材７ｃ、７ｃ…と直交する向きに定間隔で配した瓦桟７ｆ、７ｆ…と、これに係止した多数のさんがわら７ｇ、７ｇ…とで構成し、前記下張り板７ｂと前記野地板７ｄとで囲まれる空間を層状の屋根内通気路８として用いる構成を採用したものである。
【００３５】
以上の屋根７は、図１(a)及び図３(a)、(b)に示すように、その垂木７ａ、７ａ…が柱３aの上部に横架させた小屋ばり９ａから立ち上がる小屋づか９ｂ、９ｂ…に母屋９ｃ、９ｃ…及び棟木９ｄ並びに軒桁９ｅを介して支持されるものであり、その構成は一般的なそれである。
【００３６】
前記屋根内通気路８の厚みは、床下通気路６の層の厚みと同様に、１８mmとしたものであり、これは、云うまでもなく、前記スペーサ部材７ｃの厚みをそのように設定することにより実現している。なお該屋根内通気路８は、複数のスペーサ部材７ｃ、７ｃ…により多数に区画され、上下方向に延びるものとなっている。これらの屋根内通気路８の最下部は帯状の板材７ｈで閉じられている。
【００３７】
前記下張り板７ｂ及び野地板７ｄには木質無垢の杉板材を採用し、これによって二重の屋根を構成し断熱性を高めるようにしている。
【００３８】
また前記屋根裏空間９は、図１(a)に示すように、前記屋根７と、小屋ばり９ａに吊り下げ状態に配設された天井１１との間に形成された空間である。
【００３９】
前記換気部１２は、図３(a)に示すように、大棟の最上部に構成する。またその長さ方向にの全体に渡って構成する。大棟の両側上部のさんがわら７ｇを省略して各々下台座１２ａを固定し、更にその上に各々板状の上台座１２ｂを固定する。両側の上台座１２ｂ、１２ｂ上にそれぞれ下処理板材１２ｃを固設し、各々該下処理板材１２ｃを介して両側の上台座１２ｂ、１２ｂ上に換気部本体１２ｄを固設する。
【００４０】
前記下処理板材１２ｃは、各々防錆処理を施した金属板材であり、該上台座１２ｂから外側斜め下方に延長状態に配され、その外側部を端部から見て山形に折曲してなる吹き込み防止部１２ｃ１を構成した部材である。また前記換気部本体１２ｄは、防錆処理を施した、端面から見て山形を基本形とする金属板材であり、両側には端面から見てＵ字形のＵ字結合部１２ｄ１を備え、該Ｕ字結合部１２ｄ１、１２ｄ１の底部を各々上記下処理板材１２ｃを介して上台座１２ｂ、１２ｂに固設したものである。該Ｕ字結合部１２ｄ１、１２ｄ１の内側及び外側の立上り部には複数の開口部１２ｄ２、１２ｄ２…、１２ｄ３、１２ｄ３…が交互に形成してあるものである。
【００４１】
更に該換気部本体１２ｄにカバー部材１２ｅを被覆固定する。該カバー部材１２ｅは、防錆処理を施し、端面から見て該換気部本体１２ｄと同様の山形を基本とする金属板材であり、該換気部本体１２ｄに被覆状態で、その両側が前記Ｕ字結合部１２ｄ１の外側方まで延長して下方に折曲された吹き込み防止板１２ｅ１となっているものである。この吹き込み防止板１２ｅ１は、図３(a)に示すように、前記下処理板材１２ｃの吹き込み防止部１２ｃ１より内側で下向き状態となるようになっている。
【００４２】
前記屋根７の両側の野地板７ｄ、７ｄは、図３(a)に示すように、該換気部１２の直下では、大棟に接続する筈の上端間を開いた状態にしておき、その屋根内通気路８を該換気部１２内にその上端を開口させる。また前記屋根７の両側の下張り板７ｂは、図３(a)に示すように、その上端間を、それぞれ棟木９ｄの幅より広い幅で開いた状態にしておき、その下方の屋根裏空間９を該換気部１２内に開口させる。
【００４３】
こうして屋根内通気路８及び屋根裏空間９まで上昇してきた熱気等はそれぞれ該換気部１２内まで自然に上昇し、両側に移動し、前記Ｕ字結合部１２ｄ１、１２ｄ１の内側及び外側の立上り部に交互に開口した開口部１２ｄ２、１２ｄ２…、１２ｄ３、１２ｄ３…を通じて能率的に外気に放出され、屋内の冷涼性を高めると共に、湿気を除去し、結露の発生等も回避することができる。なお、該Ｕ字結合部１２ｄ１の内側の開口部１２ｄ２、１２ｄ２…と外側の開口部１２ｄ３、１２ｄ３…とが交互に開口されていること、及び前記のように、前記カバー部材１２ｅの吹き込み防止板１２ｅ１並びに前記下処理板材１２ｃの吹き込み防止部１２ｃ１が配置されていることにより、雨水等の進入は防止されるようになっている。
【００４４】
前記外壁構造体３は、図１(a)図３(b)に示すように、前記土台２に所定間隔で立設される柱３ａ、３ａ…と、各隣接する柱３ａ、３ａ間の内外方向やや屋外よりの位置に内外を区画すべく配する仕切板３ｄと、隣接する各柱３ａ、３ａ間であって、該仕切板３ｄの内側に配される筋交い３ｆと、隣接する各柱３ａ、３ａの屋内側にそれ自体及びその間の全面に配する内壁材３ｂと、該隣接する各柱３ａ、３ａの屋外側にそれ自体及びその間の全面を被覆するように配する外壁３ｃとで構成したものであり、該仕切板３ｄと内壁材３ｂとの間の空間が内側の外壁通気路４を、該仕切板３ｄと外壁３ｃとの間の空間が外側の外壁通気路４を構成するものである。
【００４５】
なお以上の外壁構造体３の隣接する各柱３ａ、３ａ間には、図示しない間柱を所定間隔で配する。これらの間柱は筋交い３ｆの部分では上下に分断して取り付ける。当然、前記仕切板３ｄの屋内側に配されるものである。なお又前記内壁材３ｂは、上記間柱と接合状体となるが、筋交い３ｆとの間には若干の隙間を残した状態になるようにしておく。
【００４６】
前記内壁材３ｂとしては、この実施例では、板厚１２mmの化粧用の杉板材を採用し、前記仕切板３ｄとしては、同様に板厚１２mmの杉板材を採用した。
【００４７】
前記外壁３ｃとしては、この実施例ではモルタル外壁を採用し、該仕切板３ｄの外面側に内側の間柱の位置に対応させてスペーサ材３ｅ、３ｅ…を縦向きに取り付け、該スペーサ材３ｅ。３ｅ…及び前記各柱３ａ、３ａ…の外面に沿って図示しない防水シートを張設した上で、該防水シートを介して該スペーサ材３ｅ、３ｅ…の外面及び柱３ａの外面に順次図示しない帯状の下地板を横張りし、その外面に下地シートを張り、更にその外面にメタルラスを取り付けてモルタルを配し、モルタルによる外壁３ｃを構成したものである。
【００４８】
前記内壁材３ｂの下部には、図１(a)、(b)及び図２に示すように、前記床板５ｄと荒床５ｂの間の部位に開口する下部通気口４ｃを形成する。この下部通気口４ｃは、特に図１(b)に示すように、隣接するスペーサ部材５ｃ、５ｃの間毎に開口し、その間毎に構成されている各床下通気路６、６…を前記外壁通気路４に連通するようにしたものである。また該下部通気口４ｃ、４ｃ…に内外対応させて、前記仕切板３ｄに、内側及び外側の外壁通気路４、４を連通する下部通気口４ｄ、４ｄ…を開口する。
【００４９】
また前記内壁材３ｂの上部は、図１(a)及び図３(b)に示すように、前記天井１１より上方の部位を切り欠いて上部通気口４ａを開口し、前記屋根裏空間９を前記外壁通気路４に連通する。また前記外壁３ｃの上部では、軒桁９ｅ等の横架材のこれが接する部位を若干切り欠き、更に前記下張り板７ｂの該当する部位を開口させて上部通気口４ｂを構成し、外側の外壁通気路４の上部を前記屋根内通気路８に連通する。この上部通気口４ｂは前記垂木７ａ、７ａ…の間毎に構成する。
【００５０】
こうして床下通気路６、６…、内側及び外側の外壁通気路４、４、屋根内通気路８及び屋根裏空間９は相互に連通し、家屋１の大棟に構成した換気部１２を通じて外気に連通する。
【００５１】
従ってこの実施例の通気構造を備えた家屋によれば、床下通気路６、６…、内側及び外側の外壁通気路４、４、屋根内通気路８及び屋根裏空間９内の空気は家屋１の大棟の換気部１２を通じて自然対流により外気に放出され得ることになる。
【００５２】
例えば、高温多湿の夏季には、床下通気路６、６…、外壁通気路４、４、屋根内通気路８及び屋根裏空間９内に籠もっている湿気を帯びた高温の空気は前記換気部１２を通じて自然対流によって排出され、それらの内部に冷涼な空気が導かれることで、これらに包まれている家屋１内を夏の熱気から隔離し、快適な状態に保持することができる。
【００５３】
また春季又は秋季には、その時々の温度や湿度等の気候条件に応じて、床下通気路６、６…、外壁通気路４、４、屋根内通気路８及び屋根裏空間９の内部の空気が自然対流により適度に放出され、或いは停滞状態を保持することにより、それらの内部の温度及び湿度が適度に維持され、これらに包まれる家屋１内は快適な温度及び湿度状態に保持されることになる
【００５４】
更に冬季には、床下通気路６、６…、外壁通気路４、４、屋根内通気路８及び屋根裏空間９内部の空気の移動が停滞状態になることにより、若干の断熱作用が働き、外部の冷気の屋内への伝達が減少させられることとなる。
【００５５】
加えて、季節に関わりなく、換気部１２を通じての床下通気路６、６…、外壁通気路４、４、屋根内通気路８及び屋根裏空間９内部の換気が行われることにより、防湿効果を確保し、更に、屋内と屋外とを、上記外壁通気路４、４等による区画された薄い空気層で仕切ることにより防音効果をも確保することができることとなる。更に前記床下通気路６、６…、外壁通気路４、４及び屋根内通気路８を構成する都合上、それらの部位が二重又は三重に木質無垢材である杉板材等により仕切られることとなるため、より断熱性及び防音性も高められることとなる。
【００５６】
更に加えて、この実施例の通気構造を備えた家屋は、既存の家屋構造に容易に組み込み得るものであるための専用のスペースを殆ど必要とせず安価に実現できるものでもある。
【図面の簡単な説明】
【００５７】
【図１】(a)は実施例の家屋の妻側から見た一部切欠概略説明図、(b)は(a)のＡ−Ａ線断面説明図。
【図２】実施例の家屋の床体及び外壁構造体の一部切欠斜視説明図。
【図３】(a)は実施例の家屋の妻側から見た屋根頂部付近の概略断面図、(b)は実施例の家屋の妻側から見た軒付近の屋根及び壁の概略断面図。
【符号の説明】
【００５８】
１    家屋
２    土台
３    外壁構造体
３ａ  柱
３ｂ  内壁材
３ｃ  外壁
３ｄ  仕切板
３ｅ  スペーサ材
３ｆ  筋交い
４    外壁通気路
４ａ  上部通気口
４ｂ  上部通気口
４ｃ  下部通気口
４ｄ  下部通気口
５    床体
５ａ  根太
５ｂ  荒床
５ｃ  スペーサ部材
５ｄ  床板
５ｅ  大引
６    床下通気路
７    屋根
７ａ  垂木
７ｂ  下張り板
７ｃ  スペーサ部材
７ｄ  野地板
７ｅ  ルーフィング
７ｆ  瓦桟
７ｇ  さんがわら
７ｈ  帯状の板材
８    屋根内通気路
９    屋根裏空間
９ａ  小屋ばり
９ｂ  小屋づか
９ｃ  母屋
９ｄ  棟木
９ｅ  軒桁
１０  基礎
１１  天井
１２  換気部（換気手段）
１２ａ  下台座
１２ｂ  上台座
１２ｃ  下処理板材
１２ｃ１  吹き込み防止部
１２ｄ  換気部本体
１２ｄ１  Ｕ字結合部
１２ｄ２、１２ｄ３  開口部
１２ｅ  カバー部材
１２ｅ１  吹き込み防止板
【図１】
0003102903.tif 000003
【図２】
0003102903.tif 000004
【図３】
0003102903.tif 000005
【手続補正書】
【提出日】平成16年2月13日(2004.2.13)
【手続補正１】
【補正対象書類名】実用新案登録請求の範囲
【補正対象項目名】請求項２
【補正方法】変更
【補正の内容】
【請求項２】
前記床体、屋根及び外壁構造体の主要部を木質無垢材で構成した請求項１の通気構造を備えた家屋。